(57)【要約】【課題】    臥床台本体６１上に寝かせた児の移動を制限したり児の転落を防止することを必要に応じて行うことができるガード部材１３２、１０２ａ、１０２ｂを保育器に組み込んだり保育器から取り外したりする作業の手間が非常に簡単である、保育器における臥床台５を提供する。【解決手段】  臥床台本体６１が、その外周付近に設けられている少なくとも１つの取り付け孔９１〜９４、９６〜９９を備えている。また、ガード部材１０２ａ、１０２ｂ、１３２が、少なくとも１つの被取り付け部１４４を備えている。そして、被取り付け部１４４を取り付け孔９１〜９４、９６〜９９に凹凸嵌合させることによって、ガード部材１０２ａ、１０２ｂ、１３２を臥床台本体６１に着脱自在に取り付けることができるように構成されている。【選択図】  図２３
2014033769.tif 000002
【特許請求の範囲】
【請求項１】
その上に児を寝かせることができる臥床台本体と、上記臥床台本体の外周囲付近の少なくとも一部分を囲むことができる少なくとも１つのガード部材とを備え、
上記臥床台本体が、その外周囲付近に設けられている少なくとも１つの取り付け孔を備え、
上記ガード部材が、少なくとも１つの被取り付け部を備え、
上記被取り付け部を上記取り付け孔に凹凸嵌合させることによって、上記ガード部材を上記臥床台本体に着脱自在に取り付けることができるように構成されていることを特徴とする、保育器における臥床台。
【請求項２】
上記臥床台本体が平面的に見てほぼ長方形状であり、
上記ほぼ長方形状の臥床台本体の一対の長辺側端部付近のそれぞれに第１および第２の取り付け孔が設けられ、
上記ほぼ長方形状の臥床台本体の一対の短辺側端部付近に第３および第４の取り付け孔が設けられ、
上記ガード部材が少なくとも１つの長辺側ガード部材および少なくとも１つの短辺側ガード部材を含み、
上記第１および第２の取り付け孔のうちの少なくとも一方の取り付け孔にその被取り付け部を凹凸嵌合させることによって、上記長辺側ガード部材が上記臥床台本体に着脱自在に取り付けられ、
上記第３および第４の取り付け孔のうちの少なくとも一方の取り付け孔にその被取り付け部を凹凸嵌合させることによって、上記短辺側ガード部材が上記臥床台本体に着脱自在に取り付けられていることを特徴とする、請求項１に記載の保育器における臥床台。
【請求項３】
上記第１〜第４の取り付け孔のそれぞれによって第１〜第４のガード部材取り付け箇所が構成され、
取り付け交換可能な複数種類のガード部材がこれら第１〜第４のガード部材取り付け箇所のそれぞれのために備えられていることを特徴とする、請求項１または２に記載の保育器における臥床台。
【請求項４】
上記被取り付け部が、上記取り付け孔に抜き差し可能に差し込まれることができる位置決め用差し込み部と、上記取り付け孔に上記位置決め用差し込み部と一緒に抜き差し可能に差し込まれることができる誤装着防止用差し込み部とをそれぞれ備え、
上記位置決め用差し込み部が上記取り付け孔に凹凸嵌合によって取り付けられることができるように構成され、
上記誤装着防止用差し込み部が上記取り付け孔に設けられた係止部にほぼ仮係止状態でもって差し込まれることができるように構成されていることを特徴とする、請求項１、２または３に記載の保育器における臥床台。
【請求項５】
少なくとも一種の上記ガード部材のガード部材本体が長細い容器形状に構成されていることを特徴とする、請求項１〜４のうちのいずれか１つに記載の保育器における臥床台。
【請求項６】
弾性材料から成型されたグロメット部材が少なくとも一種の上記ガード部材のガード部材本体に配設されていることを特徴とする、請求項１〜５のうちのいずれか１つに記載の保育器における臥床台。
【請求項７】
上記ガード部材本体がこのガード部材本体の上端に連なるくりぬき形状の開口を備え、
上記グロメット部材が上記くりぬき形状の開口の外周囲付近に凹凸嵌合によって取り付けられていることを特徴とする、請求項６に記載の保育器における臥床台。
【請求項８】
上記ガード部材のガード部材本体が第１および第２の下端部をそれぞれ有するほぼアーチ形状に構成され、
上記ガード部材本体の上記第１の下端部に設けられた第１の被取り付け部が上記取り付け孔のうちの第１の取り付け孔に凹凸嵌合によって着脱自在に取り付けられることができるように構成され、
上記ガード部材本体の上記第２の下端部に設けられた第２の被取り付け部が上記取り付け孔のうちの第２の取り付け孔に凹凸嵌合によって着脱自在に取り付けられることができるように構成されていることを特徴とする、請求項１〜７のうちのいずれか１つに記載の保育器における臥床台。
【請求項９】
請求項１〜８のうちのいずれか１つに記載の臥床台を備えていることを特徴とする保育器。
【請求項１０】
その上に児を寝かせることができる臥床台本体と、上記臥床台本体の外周囲付近の少なくとも一部を囲むことができる少なくとも１つのガード部材とを備えている、保育器における臥床台を使用する方法において、
上記臥床台本体の外周囲付近に少なくとも１つの取り付け孔を設け、
上記ガード部材として複数種類のガード部材を用意し、
上記複数種類のガード部材のそれぞれに少なくとも１つの被取り付け部を設け、
上記複数種類のガード部材のうちのいずれか１つのガード部材を任意に選択して、この任意に選択したガード部材の被取り付け部を上記取り付け孔に凹凸嵌合させることによって、上記複数種類のガード部材のうちの任意の１つのガード部材を上記臥床台本体に着脱自在に取り付けるようにしたことを特徴とする、保育器における臥床台の使用方法。
【発明の詳細な説明】
【技術分野】
【０００１】
本発明は、児用マットなどを介して間接的にまたは直接的にその上に児を寝かせることができる臥床台本体と、上記臥床台本体の外周囲付近の少なくとも一部分を囲むことができる少なくとも１つのガード部材とを備えている、保育器における臥床台に関するものである。また、本発明は、このような臥床台を備えている保育器にも関するものである。さらに、本発明は、保育器におけるこのような臥床台の使用方法にも関するものである。
【背景技術】
【０００２】
上述のような臥床台付き保育器は、例えば特許文献１に記載されている。そして、この特許文献１の保育器は、ほぼお盆形状の臥床台と、この臥床台に収容された児用マットと、縦断面がほぼＬ字形状のガード部材とを備えている。また、上記ガード部材は、ほぼ垂直形状のガード部材本体と、このガード部材本体からほぼ水平方向に延在している被挟持部とを備えている。さらに、上記ガード部材を保育器に組み込んだ状態においては、上記被挟持部が臥床台と児用マットとの間に挟持されることによって、上記ガード部材が上記臥床台にほぼ取り付け固定される。
【先行技術文献】
【特許文献】
【０００３】
【特許文献１】特開２０００−７０３１５号公報
【発明の概要】
【発明が解決しようとする課題】
【０００４】
しかし、特許文献１の保育器においては、ガード部材の被挟持部が臥床台と児用マットとの間に挟持されているために、ガード部材を保育器に組み込んだり保育器から取り外したりするときには、まず、児用マット上の未熟児などの児を上記保育器から別の場所に移し、ついで、児用マットを臥床台から少なくとも部分的に取り除いておく必要がある。このために、保育器へのガード部材の組み込み作業や取り外し作業の手間が非常に煩雑である。
【０００５】
本発明は、特許文献１の保育器における上述のような欠点を、比較的簡単な構成でもって、効果的に是正し得るようにしたものである。
【課題を解決するための手段】
【０００６】
本発明は、その第１の観点においては、児用マットなどを介して間接的にまたは直接的にその上に児を寝かせることができる臥床台本体と、上記臥床台本体の外周囲付近の少なくとも一部分を囲むことができる少なくとも１つのガード部材とを備え、上記臥床台本体が、その外周囲付近に設けられている少なくとも１つの取り付け孔を備え、上記ガード部材が、少なくとも１つの被取り付け部を備え、上記被取り付け部を上記取り付け孔に凹凸嵌合させることによって、上記ガード部材を上記臥床台本体に着脱自在に取り付けることができるように構成されていることを特徴とする、保育器における臥床台に係るものである。
【０００７】
また、本発明の上記第１の観点の第１の態様においては、上記臥床台本体が平面的に見てほぼ長方形状であり、上記ほぼ長方形状の臥床台本体の一対の長辺側端部付近のそれぞれに第１および第２の取り付け孔が設けられ、上記ほぼ長方形状の臥床台本体の一対の短辺側端部付近に第３および第４の取り付け孔が設けられ、上記ガード部材が少なくとも１つの長辺側ガード部材および少なくとも１つの短辺側ガード部材を含み、上記第１および第２の取り付け孔のうちの少なくとも一方の取り付け孔にその被取り付け部を凹凸嵌合させることによって、上記長辺側ガード部材が上記臥床台本体に着脱自在に取り付けられ、上記第３および第４の取り付け孔のうちの少なくとも一方の取り付け孔にその被取り付け部を凹凸嵌合させることによって、上記短辺側ガード部材が上記臥床台本体に着脱自在に取り付けられている。そして、本発明の上記第１の観点の第２の態様においては、上記第１〜第４の取り付け孔のそれぞれによって第１〜第４のガード部材取り付け箇所が構成され、取り付け交換可能な複数種類のガード部材がこれら第１〜第４のガード部材取り付け箇所のそれぞれのために備えられている。さらに、本発明の上記第１の観点の第３の態様においては、上記被取り付け部が、上記取り付け孔に抜き差し可能に差し込まれることができる位置決め用差し込み部と、上記取り付け孔に上記位置決め用差し込み部と一緒に抜き差し可能に差し込まれることができる誤装着防止用差し込み部とをそれぞれ備え、上記位置決め用差し込み部が上記取り付け孔に凹凸嵌合によって取り付けられることができるように構成され、上記誤装着防止用差し込み部が上記取り付け孔に設けられた係止部にほぼ仮係止状態でもって差し込まれることができるように構成されている。そして、本発明の上記第１の観点の第４の態様においては、少なくとも一種の上記ガード部材のガード部材本体が長細い容器形状に構成されている。
【０００８】
また、本発明の上記第１の観点の第５の態様においては、弾性材料から成型されたグロメット部材が少なくとも一種の上記ガード部材のガード部材本体に配設されている。この場合、上記ガード部材本体がこのガード部材本体の上端に連なるくりぬき形状の開口を備え、上記グロメット部材が上記くりぬき形状の開口の外周囲付近に凹凸嵌合によって取り付けられているのが好ましい。そして、本発明の上記第１の観点の第６の態様においては、上記ガード部材のガード部材本体が第１および第２の下端部をそれぞれ有するほぼアーチ形状に構成され、上記ガード部材本体の上記第１の下端部に設けられた第１の被取り付け部が上記取り付け孔のうちの第１の取り付け孔に凹凸嵌合によって着脱自在に取り付けられることができるように構成され、上記ガード部材本体の上記第２の下端部に設けられた第２の被取り付け部が上記取り付け孔のうちの第２の取り付け孔に凹凸嵌合によって着脱自在に取り付けられることができるように構成されている。
【０００９】
また、本発明は、その第２の観点においては、上記第１の観点における臥床台を備えていることを特徴とする保育器に係るものである。さらに、本発明は、その第３の観点においては、児用マットなどを介して間接的にまたは直接的にその上に児を寝かせることができる臥床台本体と、上記臥床台本体の外周囲付近の少なくとも一部を囲むことができる少なくとも１つのガード部材とを備えている、保育器における臥床台を使用する方法において、上記臥床台本体の外周囲付近に少なくとも１つの取り付け孔を設け、上記ガード部材として複数種類のガード部材を用意し、上記複数種類のガード部材のそれぞれに少なくとも１つの被取り付け部を設け、上記複数種類のガード部材のうちのいずれか１つのガード部材を任意に選択して、この任意に選択したガード部材の被取り付け部を上記取り付け孔に凹凸嵌合させることによって、上記複数種類のガード部材のうちの任意の１つのガード部材を上記臥床台本体に着脱自在に取り付けるようにしたことを特徴とする、保育器における臥床台の使用方法に係るものである。
【発明の効果】
【００１０】
本発明によれば、ガード部材を保育器に組み込んだり保育器から取り外したりするときには、臥床台本体の外周囲付近に設けられている取り付け孔にガード部材の被取り付け部を凹凸嵌合させたりこの凹凸嵌合を解除させたりすればよい。このために、保育器へのガード部材の組み込み作業や取り外し作業の手間が非常に簡単である。そして、臥床台を傾斜させた場合や処置窓（換言すれば、左右両側の壁部や前側の壁部）を開放して臥床台をエンクロージャから部分的に引き出した場合などには、臥床台本体上に寝かせた児の移動や転落などが生じ易いが、このような移動や転落を必要に応じて効果的に防止することができる。また、臥床台本体上に寝かせている児に処置などを施す場合には、ガード部材を必要に応じて臥床台から取り外すことができるから、ガード部材が児に対する処置などの妨げになることも特にない。
【００１１】
また、請求項３および１０に係る発明によれば、複数種類のガード部材のうちの任意の１つのガード部材を任意に選択してから、この選択したガード部材を臥床台本体に凹凸嵌合によって着脱自在に取り付けることができる。このために、その時点において必要なまたは好適なガード部材を臥床台本体にきわめて簡単に取り付けることができる。
【００１２】
また、請求項４に係る発明によれば、ガード部材の被取り付け部が、位置決め用差し込み部を有するだけでなく、誤装着防止用差し込み部も有している。このために、所定のガード部材を誤ったガード部材取り付け箇所に取り付けて使用するおそれがあまりない。
【００１３】
また、請求項５に係る発明によれば、ガード部材に医療用器具などの小物を入れる収納用容器を兼用させることができるので、同様の収納用容器をガード部材とは別に設ける必要が特にない。
【００１４】
また、請求項６および７に係る発明によれば、グロメット部材がガード部材に設けられているので、人工呼吸器用の酸素マスクの酸素供給用チューブなどのチューブや各種のケーブルなどのケーブル類を上記グロメット部材に手軽にかつ良好に保持させることができる。
【００１５】
また、請求項８に係る発明によれば、臥床台本体上に寝かせた児から放射される輻射熱がほぼアーチ形状のガード部材本体によってかなりの程度において遮蔽される。このために、児の体温の低下をかなり抑制することができるので、児の体温の急激な低下を簡単かつ確実に防止することができる。さらに、保育器の外部の気温が比較的低い場合でも、臥床台本体上に寝かせた児の体温がこのような比較的低い外気の輻射熱によって低下することを、ほぼアーチ形状のガード部材本体によって、かなり抑制することができる。
【図面の簡単な説明】
【００１６】
【図１】本発明を閉鎖型保育器兼用の開放型保育器に適用した−実施例における保育器の、第１の実施形態でかつ開放型の状態での斜視図である。（実施例１）
【図２】図１に示す保育器の、臥床台を右側の方向に往動させた状態での斜視図である。（実施例１）
【図３】図１に示す保育器の、閉鎖型の状態でかつカセッテトレーを取り出した状態での斜視図である。（実施例１）
【図４】図１に示す保育器における臥床台の支持構造とカセッテトレーの支持構造との、保育器の右側から見た状態での正面図である。（実施例１）
【図４Ａ】図４の要部の部分的な拡大図である。（実施例１）
【図５】図１に示す臥床台の、臥床台本体からガード部材を取り外した状態での斜視図である。（実施例１）
【図６】図５に示す臥床台の組み立て状態での斜視図である。（実施例１）
【図７】図５にそれぞれ示す臥床台本体の短辺側の取り付け孔と短辺側のガード部材の被取り付け部との部分的な縦断面図である。（実施例１）
【図８】図７にそれぞれ示す取り付け孔と被取り付け部との相互の嵌合状態での部分的な縦断面図である。（実施例１）
【図９】図５にそれぞれ示す臥床台本体の長辺側の取り付け孔と長辺側のガード部材の被取り付け部との部分的な縦断面図である。（実施例１）
【図１０】図９にそれぞれ示す取り付け孔と被取り付け部との相互の嵌合状態での部分的な縦断面図である。（実施例１）
【図１１】図５にそれぞれ示す臥床台本体の短辺側の取り付け孔と長辺側のガード部材の被取り付け部との、組み合わせを誤って相互に係合させた状態での部分的な縦断面図である。（実施例１）
【図１２】図５にそれぞれ示す臥床台本体の短辺側の取り付け孔と長辺側のガード部材の被取り付け部との、組み合わせを誤って相互に係合させようとした状態での部分的な縦断面図である。（実施例１）
【図１３】図５にそれぞれ示す臥床台本体の長辺側の取り付け孔と短辺側のガード部材の被取り付け部との、取り付けの向きを誤って相互に係合させようとした状態での部分的な縦断面図である。（実施例１）
【図１４】第２の実施形態での図１に示す臥床台の、臥床台本体からガード部材を取り外した状態での斜視図である。（実施例１）
【図１５】図１４に示す臥床台の組み立て状態での斜視図である。（実施例１）
【図１６】第３の実施形態での図１に示す臥床台の、臥床台本体からガード部材を取り外した状態での斜視図である。（実施例１）
【図１７】図１６に示す臥床台の組み立て状態での斜視図である。（実施例１）
【図１８】第４の実施形態での図１に示す臥床台の、臥床台本体からガード部材を取り外した状態での斜視図である。（実施例１）
【図１９】図１８に示す臥床台の組み立て状態での斜視図である。（実施例１）
【図２０】第４の実施形態での図１８にそれぞれ示す臥床台本体の長辺側の取り付け孔と長辺側のガード部材の被取り付け部との部分的な縦断面図である。（実施例１）
【図２１】図２０にそれぞれ示す取り付け孔と被取り付け部との、相互に係合させた状態での部分的な縦断面図である。（実施例１）
【図２２】第４の実施形態での図１８にそれぞれ示す臥床台本体の短辺側の取り付け孔と長辺側のガード部材の被取り付け部との、組み合わせを誤って相互に係合させた状態での部分的な縦断面図である。（実施例１）
【図２３】第５の実施形態での図１に示す臥床台の、臥床台本体からガード部材を取り外した状態での斜視図である。（実施例１）
【図２４】図２３に示す臥床台の組み立て状態での斜視図である。（実施例１）
【発明を実施するための最良の形態】
【００１７】
本発明を閉鎖型保育器兼用の開放型保育器に適用した一実施例を、「１、保育器全体の概略的な説明」、「２、臥床台本体の説明」、「３、短辺側ガード部材の説明」、「４、長辺側ガード部材の説明」、「５、ガード部材の誤装着操作の説明」および「６、臥床台の実施形態の説明」に項分けして、図面を参照しつつ説明する。
【００１８】
１、保育器全体の概略的な説明
【００１９】
保育器１は、図３に示すように、平面的に見てほぼ長方形状などの基台２と、この基台２のほぼ外周囲に沿って立設されているほぼ直方体形状などのエンクロージャ３とを備えている。そして、基台２上には、臥床架４が配置されている。また、この臥床架４上には、臥床台５が配置されている。さらに、この臥床台５上には、児用のマット６が配置されている。そして、この児用マット６の上面に必要に応じて薄いシーツ（図示せず）が敷かれてから、未熟児などの児７（図６参照）が、児用マット６上に横たわらされて、診察、処置、保育などを施される。なお、エンクロージャ３は、一部を除いて、全体としてほぼ透明であってよい。そして、エンクロージャ３は、児用マット６上の児収容空間の外周囲を包囲し得るように、前側（すなわち、先端部側）の壁部１１、後側（すなわち、基端部側）の壁部１２、左側の壁部（図示せず）および右側の壁部１３をそれぞれ備えている。また、前側の壁部１１、後側の壁部１２、上記左側の壁部および右側の壁部１３によって、平面的に見てほぼ長方形状などの周囲枠部８が児収容空間として構成されている。さらに、前側の壁部１１、上記左側の壁部、右側の壁部１３などは、処置窓またはフェンスがエンクロージャ３に形成されるようにするために、ほぼ下方に向かって往回動することまたはほぼ下方に向ってほぼ直線的に往動することなどによって、全体的にまたは部分的に開放され得るように構成されている。したがって、医師、看護師などの取扱者は、児に対する診察、処置、保育などを、上記処置窓を通してまたは上記フェンス越しに、任意の方向から施すことができる。
【００２０】
上記左側の壁部および右側の壁部１３のそれぞれには、左右一対の手入れ窓１４、１５が配置されている。また、前側の壁部１１にも、手入れ窓１６が配置されている。さらに、これら左側の壁部、右側の壁部１３および前側の壁部１１のそれぞれには、これらの手入れ窓１４〜１６のそれぞれを開閉するための開閉用の扉２１、２２、２３が配設されている。そして、これらの開閉用扉２１〜２３は、一部を除いて、全体としてほぼ透明であってよい。また、開閉用扉２１、２２は、図３に示すように、外側から見てほぼ凹型の形状に構成されている。さらに、開閉用扉２３は、ほぼ平板の形状に構成されている。なお、前側の壁部１１、上記左側の壁部および右側の壁部１３のいずれもが図１および図２に示すように完全に開放されたときには、保育器１を蘇生処置用装置としても用いることができる。
【００２１】
図１〜図３に示す基台２は、ほぼ前後方向に延在しているフレーム１７上に取り付け支持されている。そして、このフレーム１７は、メイン支柱２４上に支持されている。また、このメイン支柱２４は、それぞれが車輪２５付きの合計で例えば４本の腕部を有する前後一対のベース２６に取り付け支持されている。さらに、これら一対のベース２６は、共通の連結部材２７によって、互いに連結されている。そして、この連結部材２７には、メイン支柱２４が立設されている。また、図３に示すメイン支柱２４に取り付け支持されているフレーム１７には、図１および図２に示すように互いにほぼ左右対称であってよい左右一対のサブ支柱３１ａ、３１ｂが共通の連結部材３２を介して取り付け支持されている。そして、これら左右一対のサブ支柱３１ａ、３１ｂは、後側の壁部１２から外方側に遠ざかる方向に向かってエンクロージャ３から離間した状態でもって、後側の壁部１２よりもさらに外方側に配置されている。
【００２２】
エンクロージャ３は、図３に示すように、天面フード３３をさらに備えている。したがって、エンクロージャ３内の児収容空間は、ほぼ閉鎖状態にされることができる。そして、左右一対のサブ支柱３１ａ、３１ｂのうちの図３における例えば左側の加熱器用サブ支柱３１ａには、図３に示すように、加熱器３４が支持軸３５によって取り付け支持されている。また、図３における例えば右側の天面フード用サブ支柱３１ｂには、天面フード３３が支持腕３６によって取り付け支持されている。この場合、天面フード３３は、ほぼ四角錐台形状などであってよく、また、その下面が開放された中空体であってよい。したがって、エンクロージャ３は、周囲枠部８と、この周囲枠部８の上端開口を選択的に覆うことができる天面フード３３とを備えている。そして、図３に示す閉鎖型の状態での保育器１においては、エンクロージャ３は、ごく小さいほぼ小屋形状に構成されている。なお、左右一対のベース２６のそれぞれには、前後一対のフットスイッチ３７ａ、３７ｂが互いに隣接して配設されている。そして、操作者が向って左側のフットスイッチ３７ａを足などで押圧操作したときには、フレーム１７がメイン支柱２４に対して下降するので、このフレーム１７に取り付けられている基台２などが同様に下降する。また、操作者が向って右側のフットスイッチ３７ｂを足などで押圧操作したときには、フレーム１７がメイン支柱２４に対して上昇するので、このフレーム１７に取り付けられている基台２などが同様に上昇する。
【００２３】
図１および図２に示す加熱器用サブ支柱３１ａおよび天面フード用サブ支柱３１ｂのそれぞれは、固定支柱４１および可動支柱４２から成っている。そして、左右一対のサブ支柱３１ａ、３１ｂの固定支柱４１の下端部は、共通の連結部材３２を介してフレーム１７に取り付け支持されている。また、上記一対の可動支柱４２は、従動歯車、駆動用チェーン、駆動歯車、電動モータなどの昇降駆動機構（いずれも図示せず）によって、固定支柱４１内を上下方向にそれぞれ往復駆動（換言すれば、昇降駆動であって、固定支柱４１に対して伸縮可能に駆動）されるように構成されている。そして、天面フード３３が図１および図２に示すように上昇位置まで移動したときには、保育器１は、開放型保育器として機能する。また、天面フード３３が図３に示すように下降位置まで移動したときには、保育器１は、閉鎖型保育器として機能する。さらに、この閉鎖型保育器として機能するときには、加熱器３４は、その使用状態（この場合には、使用状態であっても少量の熱線しか放射されない。）においては図１および図２に示す上昇位置（図示せず）に留まり、その不使用状態においては図３に示す下降位置まで移動していてよい。なお、加熱器３４およびその回動駆動機構のそれぞれの構成や加熱器３４と天面フード３３との相互の関係を含む保育器１の全体構成の詳細は、本発明の要旨ではないので、その詳細な図示および詳細な説明は、本文においては省略する。
【００２４】
サブ支柱３１ａの固定支柱４１には、図１〜図３に示すように、操作ユニット兼用の表示ユニット３８が取り付けられている。そして、この操作ユニット兼用の表示ユニット３８は、表示ユニット本体３９と、この表示ユニット本体３９を固定支柱４１に連結するための支持アーム機構（図示せず）とを備えている。また、表示ユニット３９は、保育器１のエンクロージャ３内の保育環境などについての各種の情報を表示する表示画面４０を備えている。さらに、この表示画面４０は、タッチパネルタイプの液晶表示パネルの表示画面によって構成されていてよい。そして、基台２の前側の壁部１１側には、図３に示すように、開閉用ドア４３が配設されている。また、この開閉用ドア４３は、加湿器としての加湿ユニット（図示せず）を基台２に装着したり取り出したりするのに用いられる開口４４を開閉することができる。さらに、基台２の右側の壁部１３側には、図３に示すように、開閉用ドア４９が配設されている。そして、この開閉用ドア４９は、臥床架４と臥床台５との間に形成されているカセッテトレー用の収納空間５０（図４参照）にカッセテトレー５４を装着してり取り出したりするのに用いられる開口５５を開閉することができる。なお、このようなカセッテトレー５４の装着および取り出しに用いられる開閉用ドア４９は、基台２の前記左側の壁部側にも配設されている。
【００２５】
基台２の前側の壁部（換言すれば、エンクロージャ３の長さ方向における一方の側の壁部）１１には、図１〜図３に示すように、上記一方の側の外方から見た左側端部および右側端部においてそれぞれ開放されている上下一対の左側の切り欠き部４５ａおよび上下一対の右側の切り欠き部４５ｂが、切り欠き形状の開口として形成されている。さらに、これらの切り欠き部４５ａ、４５ｂのそれぞれには、これらの切り欠き部４５ａ、４５ｂを一回り大きくした比較的小型のグロメット部材４６ａ、４６ｂが嵌め込みによって取り付け固定されている。なお、グロメット部材４６ａ、４６ｂのそれぞれには、これらのグロ
メット部材４６ａ、４６ｂの外側の縁から内側の縁に向って途中までほぼ水平な状態でもって延在している第１の切れ目４７と、この第１の切れ目４７とほぼ直交するように、左右方向におけるほぼ中央部分のみをほぼ垂直な状態でもって延在している複数本の第２の切れ目４８とが形成されている。さらに、後側の壁部（換言すれば、エンクロージャ３の長さ方向における他方の側の壁部）１２にも、前側の壁部１１の場合と同様に、上下一対の左側の切り欠き部５１ａおよび上下一対の右側の切り欠き部５１ｂが、切り欠き形状の開口として形成されていてよい。そして、これら左側および右側の切り欠き部５１ａ、５１ｂのそれぞれにも、グロメット部材４６ａ、４６ｂとほぼ同一の構成をそれぞれ有する比較的小型のグロメット部材５２ａ、５２ｂが嵌め込みによって取り付け固定されていてよい。また、後側の壁部１２には、この後側の壁部１２の上端から下方に向かって延在している比較的大型のグロメット部材５３も配設されている。
【００２６】
２、臥床台本体の説明
【００２７】
第１の実施形態での臥床台５は、図４〜図６に示すように、平面的に見てほぼ長方形状であってよいほぼお盆形状の臥床台本体６１と、この臥床台本体６１にそれぞれ着脱自在に取り付けられる左右一対の長辺側のガード部材６２ａ、６２ｂおよび前後一対の短辺側のガード部材６３ａ、６３ｂとを備えている。なお、臥床台本体６１は、臥床架（換言すれば、臥床台トレー）４上に配置されている。そして、臥床架４は、臥床架用の支持機構（図示せず）を介して基台２上に配置されている。具体的には、基台２の上面には、図４および図４Ａに示すように、部分的なほぼ円柱面形状を有する凹部６４が設けられている。そして、臥床架４には、この凹部６４にほぼ対応した突部６５ａをその幅方向におけるほぼ中心部分に有する底面部６５が設けられている。また、この底面部６５（ひいては、突部６５ａ）は、部分的な円柱面形状をそれぞれ有している。そして、取扱者が操作用ダイヤル６６（図１参照）を右回り方向または左回り方向に回動操作したときには、前記臥床架用支持機構は、児７の頭部７１を上方または下方に移動させるために、臥床架４（ひいては、臥床台本体６１）を前後に揺動させることができる。
【００２８】
臥床架４には、図４および図４Ａに示すように、臥床台本体６１をほぼ左右方向（換言すれば、幅方向）に往復動させるための前後一対のガイドレール部７２ａ、７２ｂが設けられている。そして、臥床台本体６１には、これら前後一対のガイドレール部７２ａ、７２ｂにそれぞれ対応する前後一対の被ガイド用の突条部７３ａ、７３ｂが設けられている。また、ガイドレール部７２ａ、７２ｂのそれぞれは、ほぼ左右方向に延在している長手状の凹部７４と、この長手状凹部７４から被ガイド用突条部７３ａ、７３ｂが抜け出るのを防止することができる左右一対の抜け止め用の突出部７５とを備えている。このために、被ガイド用突条部７３ａ、７３ｂのそれぞれには、抜け止め用の突出部７５に係合させることができる被係合用の突起部７６が設けられている。そして、臥床台本体６１が、左右方向において、臥床架４に対して位置ずれしていない状態（換言すれば、臥床台本体６１の幅方向における中心線が、平面的に見て、臥床架４の幅方向における中心線とほぼ一致している状態）においては、抜け止め用突出部７５は、平面的に見て、左右一対の被係合用突起部７６の間に位置している。このために、臥床台本体６１を臥床架４から持ち上げようとしたときに、左右一対の被係合用突起部７６は、抜け止め用突出部７５に当接することなく、ほぼ上方に移動するので、突条部７３ａ、７３ｂをガイドレール部７２ａ、７２ｂからそれぞれ離脱させることができる。しかし、臥床台本体６１が臥床架４に対して左右方向のうちのいずれか一方の方向に或る程度移動しているときには、臥床台本体６１を臥床架４から持ち上げようとしても、左右一対の被係合用突起部７６のうちのいずれか一方が抜け止め用突出部７５にストッパとして当接するので、突条部７３ａ、７３ｂをガイドレール部７２ａ、７２ｂから離脱させることができない。さらに、臥床台本体６１を臥床架４に対して左右方向のうちのいずれか一方の方向に大きく移動させようとしたときには、臥床台本体６１が臥床架４のストッパ（図示せず）に当接してそれ以上の移動を阻止されるので、臥床台本体６１の左右方向への必要以上に大きな移動が阻止される。
【００２９】
カセッテトレー用収納空間５０は、図４に示すように、臥床台本体６１のほぼ水平な板状部７７と、臥床台本体６１の前後一対の突条部７３ａ、７３ｂと、臥床架４とによって囲まれた空間から構成されている。そして、カセッテトレー５４の上面部の前後両端部付近には、前方および後方に向かってほぼ水平な状態でそれぞれ突出している係合用の突条部８１が形成されている。また、臥床台本体６１の突条部７３ａ、７３ｂには、前後一対の支持用の突条部８２が形成されている。そして、前後一対の係合用突条部８１のそれぞれが前後一対の支持用突条部８２上に載置されることによって、カセッテトレー５４は、臥床台本体６１の板状部７７の下側面に隣接した状態でもって、臥床台本体６１に支持されている。また、カセッテトレー５４をカセッテトレー用収納空間５０から取り出したいときには、取扱者が、基台２の前記左側の壁部または右側の壁部１３の開閉用ドア４９を開放してから、カセッテトレー５４の把手８３を掴んで外部に引っ張り出せばよい。さらに、カセッテトレー５４をカセッテトレー用収納空間５０に装着したいときには、上記取り出しのときとは逆の操作を行えばよい。なお、カセッテトレー５４上には、例えば、Ｘ線撮影用フィルム（図示せず）が載置されることができる。そして、上記フィルムは、児７の身体の一部についてＸ線撮影するのに用いられることができる。
【００３０】
臥床台本体６１の板状部７７は、図５に示すように、ほぼ長方形状であってよい比較的肉薄の板状部本体８４と、この板状部本体８４から上方に突出するように板状部本体８４の外周囲に沿って延在していてほぼ長方形の枠形状であってよい比較的厚みの大きい枠部８５とから成っていてよい。そして、枠部８５の左側の長辺側の枠片部８６ａには、前側の取り付け孔９１および後側の取り付け孔９２がそれぞれ配設されている。また、枠部８５の右側の長辺側の枠片部８６ｂには、前側の取り付け孔９３および後側の取り付け孔９４がそれぞれ配設されている。さらに、枠部８５の前側（換言すれば、先端部側）の短辺側の枠片部９５ａには、左側の取り付け孔９６および右側の取り付け孔９７がそれぞれ配設されている。また、枠部８５の後側（換言すれば、基端部側）の短辺側の枠片部９５ｂには、左側の取り付け孔９８および右側の取り付け孔９９がそれぞれ配設されている。なお、取り付け孔９１〜９９のそれぞれの具体的な形状などは、次項（すなわち、「３、短辺側ガード部材の説明」）および次々項（すなわち、「４、長辺側ガード部材の説明」）において説明する。そして、枠部８５の四隅付近には、チューブホルダ取り付け用の取り付け孔１００がそれぞれ形成されている。また、これらの取り付け孔１００には、チューブホルダの基端部が、必要に応じて、差し込みによって取り付けられることができる。
【００３１】
３、短辺側ガード部材の説明
【００３２】
短辺側のガード部材としては、図１〜図１３に示す第１の実施形態において用いられている第１の種類の短辺側ガード部材６３ａ、６３ｂ以外にも、図１４に示す第２の実施形態において用いられている第２の種類の短辺側ガード部材１０１ａ、１０１ｂと、図１６に示す第３の実施形態、図１９に示す第４の実施形態および図２３に示す第５の実施形態においてそれぞれ用いられている第３の種類の短辺側ガード部材１０２ａ、１０２ｂとがそれぞれ用意されている。したがって、第１〜第３の種類の短辺側ガード部材６３ａ、６３ｂ、１０１ａ、１０１ｂ、１０２ａ、１０２ｂを、「（１）第１の種類の短辺側ガード部材」、「（２）第２の種類の短辺側ガード部材」および「（３）第３の種類の短辺側ガード部材」に項分けして、図面を参照しつつ説明する。
【００３３】
（１）第１の種類の短辺側ガード部材
【００３４】
前後一対の第１の種類の短辺側ガード部材６３ａ、６３ｂのそれぞれは、ほぼ透明などの合成樹脂などから一体成形されていてよく、図５に示すように、ガード部材本体１０３と、短辺側ガード部材６３ａ、６３ｂのそれぞれを臥床台本体６１の左右一対の取り付け孔９６〜９９にそれぞれ取り付けるための左右一対の被取り付け部１０４、１０５とから成っている。なお、前側の短辺側ガード部材６３ａと後側の短辺側ガード部材６３ｂとは、図４および図５においては互いに向き合っていることを除いて、互いにほぼ同形であってよい。そして、ガード部材本体１０３のそれぞれは、横長のほぼ長方形状の板状体であってよい。また、ガード部材本体１０３の両端部のそれぞれは、平面的に見て、内側に向かってほぼ円弧状に湾曲していてよい。
【００３５】
短辺側ガード部材６３ａ、６３ｂの左右一対の被取り付け部１０４、１０５のそれぞれは、図５および図７に示すように、互いにほぼ同形であってよい。具体的には、被取り付け部１０４、１０５のそれぞれは、ガード部材本体１０３と一体成形されかつこのガード部材本体１０３の下端からほぼ下方に突出している左右一対の位置決め用差し込み部１０６ａ、１０６ｂと、ガード部材本体１０３と一体成形されかつこれら左右一対の位置決め用差し込み部１０６ａ、１０６ｂの間においてこのガード部材本体１０３の下端からほぼ下方に突出している中央の誤装着防止用の差し込み部１０７とを備えている。そして、誤装着防止用の差し込み部１０７の下端部には、被取り付け部１０４、１０５の内側面側に段部１１１を介して突出している突出部１１２が形成されている。また、左右一対の位置決め用差し込み部１０６ａ、１０６ｂは、互いにほぼ同形であってよい。したがって、被取り付け部１０４、１０５のそれぞれは、ガード部材本体１０３の下端からほぼ下方に突出している肉薄の板状体に、差し込み部１０６ａ、１０６ｂ、１０７を形成するために、左右一対のスリット１１３、１１４を形成した形状と実質的に同一の形状を有していてよい。この場合、誤装着防止用差し込み部１０７には、段部１１１を形成するために、突出部１１２が一体的に連設されている。また、突出部１１２の厚みが差し込み部１０６ａ、１０６ｂの厚みとほぼ同一になるように、差し込み部１０７のうちの突出部１１２を除く基端側の部分は、その内側面を削られたのと実質的に同一の形状になるように肉薄になっている。さらに、段部１１１の先端側は、切り欠き１１５の上端にほぼ仮係止状態でもって係止されるように、多少丸みを帯びている。
【００３６】
短辺側ガード部材６３ａ、６３ｂの左右一対の被取り付け部１０４、１０５のそれぞれが差し込まれる取り付け孔９６〜９９のそれぞれの形状は、図５および図７に示すように、互いにほぼ同一であってよい。なお、取り付け孔９６〜９９のそれぞれは、切り欠き形状の凹部１１５を有することを除いて本の外箱とほぼ同一の形状であってよい突出壁部１１６によって形成されていてよい。そして、中空形状で上面全体が開口している突出壁部１１６は、枠部８５の上面からほぼ下方に向かって突出していてよい。また、取り付け孔９６〜９９のそれぞれに形成されている切り欠き形状の凹部（換言すれば、係止部）１１５は、この突出壁部１１６の前後方向における両壁部のうちの板状部本体８４側の壁部１１７のみに形成されている。さらに、切り欠き形状の凹部１１５は、誤装着防止用差し込み部１０７にほぼ対応するように、壁部１１７の左右方向におけるほぼ中央部に配設されている。そして、被取り付け部１０４、１０５のそれぞれのほぼ水平方向における長さＬ１は、図７に示すように、取り付け孔９６〜９９のそれぞれのほぼ水平方向における長さＬ２とほぼ同一であってよい。また、被取り付け部１０４、１０５のそれぞれの厚みは、取り付け孔９６〜９９のそれぞれの厚みとほぼ同一または多少小さくてよい。さらに、誤装着防止用差し込み部１０７の基端から段部１１１までのほぼ上下方向における長さＬ３は、取り付け孔９６〜９９のそれぞれの上端から切り欠き形状の凹部１１５の上端までのほぼ上下方向における長さＬ４とほぼ同一であってよい。さらに、被取り付け部１０４の差し込み部１０６ａの左端から被取り付け部１０５の差し込み部１０６ｂの右端までのほぼ水平方向における長さＬ５は、左側の取り付け孔９６の左端から右側の取り付け孔９７の右端までのほぼ水平方向における長さＬ６とほぼ同一であってよい。
【００３７】
図６および図８は、短辺側のガード部材６３ａ、６３ｂのそれぞれが臥床台本体６１に正常に取り付けられた状態を示している。そして、図６および図８に示す状態においては、被取り付け部１０４、１０５（換言すれば、位置決め用差し込み部１０６ａ、１０６ｂおよび誤装着防止用差し込み部１０７）のそれぞれが、左側および右側の取り付け孔９６〜９９に凹凸嵌合によりほぼ嵌合することによって、短辺側ガード部材６３ａ、６３ｂのそれぞれが臥床台本体６１に取り付け固定されている。また、誤装着防止用差し込み部１０７の段部１１１が、切り欠き１１５の上端にほぼ仮係止状態でもってほぼ係止されている。したがって、被取り付け部１０４、１０５（ひいては、短辺側のガード部材６３ａ、６３ｂ）のそれぞれは、臥床台本体６１に良好に取り付けられている。なお、短辺側ガード部材６３ａ、６３ｂのそれぞれを臥床台本体６１から取り外すときには、短辺側ガード部材６３ａ、６３ｂのそれぞれの左右方向における中間部部分などを片手などで掴んでからほぼ上方に引っ張り上げればよい。この場合、左右一対の誤装着防止用差込部１０７の段部１１１のそれぞれは、左右一対の突出壁部１１６のそれぞれの切り欠き形状の凹部１１５とのほぼ仮係止状態での係止を解消して、ほぼ上方に移動することができる。したがって、被取り付け部１０４、１０５のそれぞれは、取り付け孔９６〜９９から比較的簡単に抜け出るので、短辺側ガード部材６３ａ、６３ｂのそれぞれを臥床台本体６１から比較的簡単に取り外すことができる。
【００３８】
（２）第２の種類の短辺側ガード部材
【００３９】
前後一対の第２の種類の短辺側ガード部材１０１ａ、１０１ｂのそれぞれは、図１４および図１５に示すように、ガード部材本体１０３と、短辺側ガード部材１０１ａ、１０１ｂのそれぞれを臥床台本体６１の左右一対の取り付け孔９６〜９９にそれぞれ取り付けるための左右一対の被取り付け部１０４、１０５とから成っている。なお、前側の短辺側ガード部材１０１ａと後側の短辺側ガード部材１０１ｂとは、図１４および図１５においては互いに向き合っていることを除いて、互いにほぼ同形であってよい。そして、前後一対の第２の種類の短辺側ガード部材１０１ａ、１０１ｂのそれぞれは、特に矛盾を生じない限り、以下において説明する点を除いて、前後一対の第１の種類の短辺側ガード部材６３ａ、６３ｂのそれぞれとほぼ同一の構成を有しかつほぼ同一の作用効果を奏するものであってよい。また、前後一対の第２の種類の短辺側ガード部材１０１ａ、１０１ｂのそれぞれが取り付けられる臥床台本体６１は、前後一対の第１の種類の短辺側ガード部材６３ａ、６３ｂのそれぞれが取り付けられる臥床台本体６１と同一のものであってよい。
【００４０】
前後一対の第２の種類の短辺側ガード部材１０１ａ、１０１ｂのそれぞれの左右両側の被取り付け部１０４、１０５のそれぞれは、図１４に示すように、前後一対の第１の種類の短辺側ガード部材６３ａ、６３ｂのそれぞれの左右両側の被取り付け部１０４、１０５のそれぞれとほぼ同一の構成を有しかつほぼ同一の作用効果を奏するものであってよい。しかし、前後一対の第２の種類の短辺側ガード部材１０１ａ、１０１ｂのガード部材本体（以下、「第２の種類のガード部材本体」という。）１０３のそれぞれは、前後一対の第１の種類の短辺側ガード部材６３ａ、６３ｂのガード部材本体（以下、「第１の種類のガード部材本体」という。）１０３のそれぞれとは、その形状が大幅に相違している。そして、第２の種類のガード部材本体１０３のそれぞれは、各種の医療用器具などの小物を入れる収納用容器を兼用することができる形状に構成されている。具体的には、第２の種類のガード部材本体１０３は、第１の種類のガード部材本体１０３にほぼ対応する外側の壁部１２１と、内側の壁部１２２と、底壁部１２３とをそれぞれ有するほぼ左右方向に長細い容器形状に構成されている。したがって、外側の壁部１２１と内側の壁部１２２とは、左右両端においてほぼ一体的に連結されている。そして、内側の壁部１２２は、両端部分を除いて、外側の壁部１２１よりも高さが大きくなっている。
【００４１】
（３）第３の種類の短辺側ガード部材
【００４２】
前後一対の第３の種類の短辺側ガード部材１０２ａ、１０２ｂのそれぞれは、図１６および図１７に示すように、ガード部材本体１０３と、短辺側ガード部材１０１ａ、１０１ｂのそれぞれを臥床台本体６１の左右両側の取り付け孔９６〜９９にそれぞれ取り付けるための左右両側の被取り付け部１０４、１０５とから成っている。なお、前側の短辺側ガード部材１０２ａと後側の短辺側ガード部材１０２ｂとは、図１６および図１７においては互いに向き合っていることを除いて、互いにほぼ同形であってよい。そして、前後一対の第３の種類の短辺側ガード部材１０２ａ、１０２ｂのそれぞれは、特に矛盾を生じない限り、以下において説明する点を除いて、前後一対の第１の種類の短辺側ガード部材６３ａ、６３ｂのそれぞれとほぼ同一の構成を有しかつほぼ同一の作用効果を奏するものであってよい。また、前後一対の第３の種類の短辺側ガード部材１０２ａ、１０２ｂのそれぞれが取り付けられる臥床台本体６１は、前後一対の第１の種類の短辺側ガード部材６３ａ、６３ｂのそれぞれが取り付けられる臥床台本体６１と同一のものであってよい。
【００４３】
前後一対の第３の種類の短辺側ガード部材１０２ａ、１０２ｂのそれぞれの左右両側の被取り付け部１０４、１０５のそれぞれは、図１６に示すように、前後一対の第１の種類の短辺側ガード部材６３ａ、６３ｂのそれぞれの左右両側の被取り付け部１０４、１０５のそれぞれとほぼ同一の構成を有しかつほぼ同一の作用効果を奏するものであってよい。しかし、前後一対の第３の種類の短辺側ガード部材１０２ａ、１０２ｂのガード部材本体（以下、「第３の種類のガード部材本体」という。）１０３のそれぞれは、前後一対の第１の種類の短辺側ガード部材６３ａ、６３ｂのガード部材本体（以下、「第１の種類のガード部材本体」という。）１０３のそれぞれとは、その形状が多少相違している。そして、この相違点は、第３の種類のガード部材本体１０３のそれぞれがグロメット部材１２４を備えている点のみである。具体的には、第３の種類のガード部材本体１０３のそれぞれのほぼ中央の部分には、図１６および図１７に示すように、上端においてそれぞれ開放されている切り欠き部１２５が切り欠き形状の開口として形成されている。そして、これらの切り欠き部１２５のそれぞれには、これらの切り欠き部１２５を一回り大きくした比較的小型のグロメット部材１２４が嵌め込みによって取り付け固定されている。なお、グロメット部材１２４のそれぞれには、これらのグロメット部材１２４の上側の縁から下側の縁に向かって途中までほぼ垂直な状態でもって延在している第１の切れ目１２６と、この第１の切れ目１２６とほぼ直交するように上下方向におけるほぼ中央部分のみをほぼ水平な状態でもって延在している複数本の第２の切れ目１２７とが形成されている。そして、グロメット部材１２４には、グロメット部材４５ａ、４５ｂ、４６ａ、４６ｂ、５１ａ、５１ｂ、５２ａ、５２ｂの場合と同様に、チューブ、ケーブルなどのケーブル類が保持されることができる。具体的には、例えば、人工呼吸器（図示せず）を用いて児７に酸素を供給するための酸素マスク（図示せず）の酸素供給用チューブ（図示せず）が短辺側のガード部材１０１ａまたは１０１ｂの外側からグロメット部材１２４の第１および／または第２の切れ目１２６、１２７を通してガード部材１０１ａまたは１０１ｂの内側に導き入れられることができる。したがって、上記酸素供給用チューブは、グロメット部材１０１ａまたは１０１ｂによって保持される。この場合、上記酸素供給用チューブは、吸気用、呼気用などの複数本のチューブが束ねられた状態でもって蛇腹状の外被チューブによって被覆されたものであってもよい。また、上記ケーブル類は、ＳｐＯ２センサのケーブルであってもよい。
【００４４】
４、長辺側ガード部材の説明
【００４５】
長辺側のガード部材としては、図１〜図１３に示す第１の実施形態、図１４および図１５に示す第２の実施形態および図１６および図１７に示す第３の実施形態においてそれぞれ用いられている第１の種類の長辺側ガード部材６２ａ、６２ｂ以外にも、図１８〜図２２に示す第４の実施形態において用いられている第２の種類の長辺側ガード部材１３１ａ、１３１ｂと、図２３および図２４に示す第５の実施形態において用いられている第３の種類の長辺側ガード部材１３２とがそれぞれ用意されている。したがって、第１〜第３の種類の長辺側ガード部材６２ａ、６２ｂ、１３１ａ、１３１ｂ、１３２を、「（１）第１の種類の長辺側ガード部材」、「（２）第２の種類の長辺側ガード部材」および「（３）第３の種類の長辺側ガード部材」に項分けして、図面を参照しつつ説明する。
【００４６】
（１）第１の種類の長辺側ガード部材
【００４７】
左右一対の第１の種類の長辺側ガード部材６２ａ、６２ｂのそれぞれは、図５、図６、図１４、図１５、図１６および図１７に示すように、ガード部材本体１３３と、長辺側ガード部材６２ａ、６２ｂのそれぞれを臥床台本体６１の前後一対の取り付け孔９１〜９４にそれぞれ取り付けるための前後一対の被取り付け部１３４、１３５とから成っている。なお、左側の長辺側ガード部材６２ａと右側の長辺側ガード部材６２ｂとは、図６などにおいて互いに向き合っていることを除いて、互いにほぼ同形であってよい。そして、左右一対の第１の種類の長辺側ガード部材６２ａ、６２ｂのそれぞれは、特に矛盾を生じない限り、以下において説明する点を除いて、前後一対の第１の種類の短辺側ガード部材６３ａ、６３ｂのそれぞれとほぼ同一の構成を有しかつほぼ同一の作用効果を奏するものであってよい。また、左右一対の第１の種類の長辺側ガード部材６２ａ、６２ｂのそれぞれが取り付けられる臥床台本体６１は、前後一対の第１の種類の短辺側ガード部材６３ａ、６３ｂのそれぞれが取り付けられる臥床台本体６１と同一のものであってよい。さらに、長辺側ガード部材６２ａ、６２ｂのそれぞれは、前後方向における長さが短辺側ガード部材６３ａ、６３ｂのガード部材本体１０３とほぼ同一であってよく、また、上下方向における高さがガード部材本体１０３よりもかなり小さくてよい。
【００４８】
図５などに示す左右一対の長辺側ガード部材６２ａ、６２ｂのそれぞれの前後一対の被取り付け部１３４、１３５のそれぞれが差し込まれる取り付け孔９１〜９４のうちの取り付け孔９１、９４のそれぞれの形状は、互いにほぼ同一であってよい。そして、取り付け孔９２、９３のそれぞれの形状も、互いにほぼ同一であってよい。しかし、取り付け孔９１、９４のそれぞれの形状は、図９に示すように、取り付け孔９２、９３のそれぞれの形状とは多少相違している。なお、図９に例示する取り付け孔９１〜９４のそれぞれは、図７に例示する取り付け孔９６〜９９のそれぞれと類似しているが、これらの取り付け孔９６〜９９のそれぞれとは多少相違している。具体的には、取り付け孔９１〜９４のそれぞれは、図９に示すように、その底部の全体が開口している貫通孔になっている。そして、取り付け孔９１〜９４のそれぞれの深さは、取り付け孔９６〜９９の深さよりも多少浅くなっている。また、取り付け孔９１、９４のそれぞれの切り欠き形状の凹部（換言すれば、係止部）１３６の深さは、取り付け孔９６〜９９のそれぞれの切り欠き形状の凹部（換言すれば、係止部）１１５のそれぞれの深さよりも多少小さくなっている。さらに、取り付け孔９１〜９４のそれぞれの上端から切り欠き形状の凹部１３６の上端までのほぼ上下方向における長さＬ７は、図７に示す取り付け孔９６〜９９のそれぞれについての長さＬ４よりは小さくなっている。そして、後側の取り付け孔９２の切り欠き形状の凹部１３６からこの孔９２の前壁までのほぼ水平方向における長さＬ８と、前側の取り付け孔９３の切り欠き形状の凹部１３６からこの孔９３の後壁までのほぼ水平方向における長さＬ８とのそれぞれは、前側の取り付け孔９１の切り欠き形状の凹部１３６からこの孔９１の前壁または後壁までのほぼ水平方向における長さＬ９と、前側の取り付け孔９１の切り欠き形状の凹部１３６からこの孔９１の後壁までのほぼ水平方向における長さＬ９と、前側の取り付け孔９３の切り欠き形状の凹部１３６からこの孔９３の前壁までのほぼ水平方向における長さＬ９と、後側の取り付け孔９４の切り欠き形状の凹部１３６からこの孔９４の前壁または後壁までのほぼ水平方向における長さＬ９とのそれぞれよりは小さくなっている。
【００４９】
長辺側ガード部材６２ａの前側の被取り付け部１３４と、長辺側ガード部材６２ｂの後側の被取り付け部１３５とのそれぞれは、図７および図９に示すように、前後一対の差し込み部１３７ａ、１３７ｂの間に配設されている誤装着防止用差し込み部１３８の形状が多少相違している点を除いて、図７に示す被取り付け部１０４、１０５のそれぞれとほぼ同一の形状であってよい。具体的には、長辺側ガード部材６２ａの前側の被取り付け部１３４および長辺側ガード部材６２ｂの後側の被取り付け部１３５のそれぞれの誤装着防止用差し込み部１３８においては、その上端から段部１４１までのほぼ上下方向における長さＬ１０が図７に示す長さＬ３よりも多少小さくなっている。そして、左側の長辺側ガード部材６２ａの後側の被取り付け部１３５と、右側の長辺側ガード部材６２ｂの前側の被取り付け部１３４とのそれぞれは、前側の差し込み部１３７ａ（左側の長辺側ガード部材６２ａの場合）または後側の差し込み部１３７ｂ（右側の長辺側ガード部材６２ｂの場合）のほぼ水平方向における長さＬ１１が小さいことを除いて、長辺側ガード部材６２ａの前側の被取り付け部１３４と、長辺側ガード部材６２ｂの後側の被取り付け部１３５とのそれぞれとほぼ同一の形状であってよい。
【００５０】
したがって、図５および図９に示すように、左側の長辺側枠片部８６ａの後側の取り付け孔９２の長さＬ１２と、右側の長辺側枠片部８６ｂの前側の取り付け孔９３の長さＬ１２とのそれぞれは、左側の長辺側枠片部８６ａの前側の取り付け孔９１の長さＬ２と、右側の長辺側枠片部８６ｂの後側の取り付け孔９４の長さＬ２とのそれぞれとは、長さ（Ｌ９−Ｌ８）だけ小さくなっている。ただし、長辺側枠片部８６ａ、８６ｂの前側の取り付け孔９１、９３のそれぞれの前端から後側の取り付け孔９２、９４のそれぞれの後端までのそれぞれの長さＬ６は、短辺側枠片部９５ａ、９５ｂにおけるそれぞれの長さＬ６とほぼ同一であってよい。そして、左側の長辺側ガード部材６２ａの後側の被取り付け部１３５の長さＬ１３と、右側の長辺側ガード部材６２ｂの前側の被取り付け部１３４の長さＬ１３とのそれぞれは、左側の長辺側ガード部材６２ａの前側の被取り付け部１３４の長さＬ１と、右側の長辺側ガード部材６２ｂの後側の被取り付け部１３５の長さＬ１とのそれぞれとは、長さ（Ｌ１４−Ｌ１１）だけ小さくなっている。ここで、長さＬ１４は、左側の長辺側のガード部材６２ａの前側の被取り付け部１３４の差し込み部１３７ａ、１３７ｂと、後側の被取り付け部１３５の差し込み部１３７ｂと、右側の長辺側ガード部材６２ｂの前側の被取り付け部１３４の前側の差し込み部１３７ａと、後側の被取り付け部１３５の差し込み部１３７ａ、１３７ｂとのそれぞれのほぼ水平方向における長さを意味している。そして、長辺側ガード部材６２ａ、６２ｂの前側の被取り付け部１３４の前端から後側の被取り付け部１３５の後端までのそれぞれの長さＬ５は、短辺側枠片部９５ａ、９５ｂにおけるそれぞれの長さＬ６とほぼ同一であってよい。
【００５１】
図６および図１０は、長辺側のガード部材６２ａ、６２ｂのそれぞれが臥床台本体６１に正常に取り付けられた状態を示している。そして、図６および図１０に示す状態においては、被取り付け部１３４、１３５のそれぞれが、前側および後側の取り付け孔９１〜９４に凹凸嵌合によりほぼ嵌合することによって、長辺側ガード部材６２ａ、６２ｂのそれぞれが臥床台本体６１に取り付け固定されている。また、誤装着防止用差し込み部１３８の段部１４１が切り欠き形状の凹部１３６の上端に仮係止状態でもってほぼ係止されている。したがって、被取り付け部１３４、１３５（ひいては、長辺側ガード部材６２ａ、６２ｂ）のそれぞれは、臥床台本体６１に良好に取り付けられている。なお、長辺側ガード部材６２ａ、６２ｂのそれぞれを臥床台本体６１から取り外すときには、取扱者は、長辺側ガード部材６２ａ、６２ｂのそれぞれの左右方向における中間部分を片手などで掴んでから、ほぼ上方に持ち上げればよい。この場合、左右一対の誤装着防止用差し込み部１３８の段部１４１のそれぞれは、これらの段部１４１の先端側が多少丸みを帯びているために、前後一対の突出壁部１４２のそれぞれの切り欠き形状の凹部１３６とのほぼ仮係止状態での係止を解消して、ほぼ上方に移動することができる。したがって、被取り付け部１３４、１３５のそれぞれは、取り付け孔９１〜９４から抜け出るので、長辺側ガード部材６２ａ、６２ｂのそれぞれを臥床台本体６１から比較的簡単に取り外すことができる。なお、上記段部１４１は、段部１１１の場合と同様に、突出部１４８の上端部によって構成されていてよい。
【００５２】
（２）第２の種類の長辺側ガード部材
【００５３】
左右一対の第２の種類の長辺側ガード部材１３１ａ、１３１ｂのそれぞれは、図１８および図１９に示すように、ほぼ長板形状のガード部材本体１４０と、長辺側ガード部材１３１ａ、１３１ｂのそれぞれを臥床台本体６１の前後一対の取り付け孔９１〜９４にそれぞれ取り付けるための前後一対の被取り付け部材１４６、１４７とから成っている。なお、左側の長辺側ガード部材１３１ａと右側の長辺側ガード部材１３１ｂとは、互いにほぼ同形であってよい。そして、左右一対の第２の種類の長辺側ガード部材１３１ａ、１３１ｂのそれぞれは、特に矛盾を生じない限り、以下において説明する点を除いて、左右一対の第１の種類の長辺側ガード部材６２ａ、６２ｂのそれぞれとほぼ同一の構成を有しかつほぼ同一の作用効果を奏するものであってよい。また、左右一対の第２の種類の長辺側ガード部材１３１ａ、１３１ｂのそれぞれが取り付けられる臥床台本体６１は、左右一対の第１の種類の長辺側ガード部材６２ａ、６２ｂがそれぞれ取り付けられる臥床台本体６１と同一のものであってよい。
【００５４】
左右一対の第２の種類の長辺側ガード部材１３１ａ、１３１ｂのガード部材本体１４０のそれぞれは、図１８および図１９に示すように、互いにほぼ同形であってよい。具体的には、これらのガード部材本体１４０のそれぞれは、長辺側枠片部８６ａ、８６ｂのそれぞれとほぼ等長であってよい。そして、これらのガード部材本体１４０のそれぞれの幅は、短辺側ガード部材１０２ａ、１０２ｂのそれぞれの幅の１／２倍〜１倍であってよい。また、長辺側ガード部材１３１ａ、１３１ｂのそれぞれの前後一対の被取り付け部材１４６、１４７のそれぞれは、ガード部材本体１４０の下端部に嵌合される縦断面がほぼＵ字形状の嵌合部（換言すれば、連結部）１４３と、この嵌合部１４３からほぼ下方に延在しているほぼ長方形のほぼ平板形状の被取り付け部１４４とから成っていてよい。さらに、嵌合部１４３と被取り付け部１４４とは、例えば、アルミニウム合金、その他の金属、合成樹脂などから、縦断面がほぼＹ字形状になるように、一体成形されていてよい。これに対し、ガード部材本体１４０は、例えば、ほぼ透明などの合成樹脂などから、ほぼ表裏同形に（換言すれば、表裏がほぼ無いように）、一体成形されていてよい。なお、ガード部材本体１３３への嵌合部１４３の取り付けは、嵌合部１３３のそれぞれに互いに対向するようにそれぞれ配設したねじ挿通孔およびねじ孔と、止めねじ１４５とを用いて行われていてよい。具体的には、上記ねじ挿通孔に挿通させた止めねじ１４５を上記ねじ孔にねじ込むことによって行われていてよい。
【００５５】
図２０および図２１は、前側および後側の被取り付け部１３４、１３５を前側および後側の取り付け孔９１、９２にそれぞれ取り付ける前の状態および取り付けた後の状態をそれぞれ示している。なお、図２０および図２１における長さＬ２、Ｌ５〜Ｌ７、Ｌ１２およびＬ１３は、図９における長さＬ２、Ｌ５〜Ｌ７、Ｌ１２およびＬ１３とそれぞれ対応しかつほぼ同一の長さであってよい。そして、図１８などに示す左右一対の長辺側ガード部材１３１ａ、１３１ｂのそれぞれの前後一対の被取り付け部材１４６、１４７のそれぞれが差し込まれる取り付け孔９１〜９４のうちの取り付け孔９１、９４のそれぞれの形状は、互いにほぼ同一であってよい。また、取り付け孔９２、９３のそれぞれの形状もほぼ同一であってよい。したがって、長辺側のガード部材１３１ａ、１３１ｂのそれぞれが臥床台本体６１に正常に取り付けられたときには、図２１に示す取り付け状態が得られる。また、図２１に示す状態においては、左側の長辺側ガード部材１３１ａの後側の被取り付け部材１４７の被取り付け部１４４および右側の長辺側ガード部材１３１ｂの前側の被取り付け部材１４６の被取り付け部１４４のそれぞれが、それぞれほぼ長方形のほぼ平板形状である後側の取り付け孔９２および前側の取り付け孔９３に嵌合する。そして、これらの嵌合においては、取り付け孔９２、９３のぞれぞれが被取り付け部１４４のそれぞれとほぼ同形（換言すれば、ほぼ長方形のほぼ平板形状）である。このために、上記嵌合においては、被取り付け部１４４のそれぞれの前後左右の外周壁部が取り付け孔９２、９３のそれぞれの前後左右の内周壁部にほぼ当接するので、被取り付け部１４４のそれぞれが取り付け孔９２、９３のそれぞれに凹凸嵌合によって取り付け固定される。
【００５６】
これに対し、それぞれほぼ長方形のほぼ平板形状の前側の取り付け孔９１および左側の取り付け孔９４のそれぞれは、図２１に示すように、左側の長辺側ガード部材１３１ａの前側の被取り付け部材１４６の被取り付け部１４４および右側の長辺側ガード部材１３１ｂの後側の被取り付け部材１４７の被取り付け部１４４のそれぞれとは、ほぼ前後方向における長さが多少短かくなっている。このために、左側の長辺側ガード部材１３１ａの前側被取り付け部材１４６の被取り付け部１４４の前端面および右側の長辺側ガード部材１３１ｂの後側の被取り付け部材１４７の被取り付け部１４４の後端面のそれぞれは、図２１に示すように、取り付け孔９１の前端面および取り付け孔９４の後端面にほぼ当接する。したがって、左側および右側の長辺側ガード部材１３１ａ、１３１ｂは、前後方向および左右方向のそれぞれにおいて、臥床台本体６１に確実に位置保持されるので、臥床台本体６１に良好に取り付けられる。しかし、左側の長辺側ガード部材１３１ａの前側の被取り付け部材１４６の被取り付け部１４４の後端面および右側の長辺側ガード部材１３１ｂの後側の被取り付け部材１４７の被取り付け部１４４の前端面のそれぞれは、取り付け孔９１の後端面および取り付け孔９４の前端面のそれぞれとは、長さＬ１５の間隙１５１を有している。なお、この理由は、図２０に示すように、
（ａ）長さＬ５と長さＬ６とが互いにほぼ同一の大きさであること、
（ｂ）長さＬ１３が長さＬ２よりもほぼ長さＬ１５だけ小さいこと、
である。
【００５７】
図１９などに示す長辺側ガード部材１３１ａ、１３１ｂのそれぞれを臥床台本体６１から取り外すときには、取扱者は、長辺側ガード部材１３１ａ、１３１ｂのそれぞれ左右方向における中間部分などを片手などで掴んでから、ほぼ上方に持ち上げればよい。この場合、被取り付け部１４４のそれぞれは、取り付け孔９１〜９４から比較的簡単に抜け出るので、長辺側ガード部材１３１ａ、１３１ｂのそれぞれを臥床台本体６１から比較的簡単に取り外すことができる。そして、上述のように構成された長辺側のガード部材１３１ａ、１３１ｂによれば、臥床台本体６１の左側の縁部と右側の縁部とに長さが比較的長くかつ高さが比較的高いガード（いわゆる、ベビーガード）またはフェンスを着脱自在（換言すれば、抜き差し自在）に配設することができる。
【００５８】
（３）第３の種類の長辺側ガード部材
【００５９】
第３の種類の長辺側ガード部材１５１は、図２３および図２４に示すように、ほぼアーチ形状のガード部材本体１５２と、長辺側ガード部材１５１（換言すれば、ガード部材本体１５２）の左右両側端部のそれぞれを臥床台本体６１の前後一対の取り付け孔９１〜９４にそれぞれ取り付けるための前後一対の被取り付け部材１４６、１４７とから成っている。なお、端的に言えば、第３の種類の長辺側ガード部材１５１は、図１８および図１９にそれぞれ示す左右一対の長辺側ガード部材１３１ａおよび長辺側ガード部材１３１ｂの左右一対のガード部材本体１４０を、全体としてほぼアーチ形状になるように、一体的に連結した形状であってよい。そして、長辺側ガード部材１５１のほぼアーチ形状のガード部材本体１５２は、合成樹脂から一体成形されたものであってよい。また、長辺側ガード部材１５１の左側の半分と右側の半分とは、互いにほぼ対称的な形状であってよい。さらに、第３の種類の長辺形ガード部材１５１は、特に矛盾を生じない限り、以下に説明する点を除いて、左右一対の第２の種類の長辺側ガード部材１３１ａ、１３１ｂを全体としてほぼアーチ形状になるように一体的に連結したものとほぼ同一の構成を有しかつほぼ同一の作用効果を奏するものであってよい。そして、第３の種類の長辺側ガード部材１５１ａが取り付けられる臥床台本体６１は、左右一対の第２の種類の長辺側ガード部材６２ａ、６２ｂがそれぞれ取り付けられる臥床台本体６１と同一のものであってよい。
【００６０】
上述のように構成された長辺側ガード部材１５１が臥床台本体６１に正常に取り付けられた図２４に示す場合には、臥床台本体６１上の児から放射される輻射熱がほぼアーチ形状のガード部材本体１５２によってかなりの程度において遮蔽される。このために、児の体温の低下をかなり抑制することができるので、児７の体温が急激に低下するおそれが少ない。さらに、保育器１のエンクロージャ３の外側の気温が比較的低い場合でも、臥床台本体６１上に寝かせた児７の体温がこのような比較的低い外気の輻射熱によって低下することを、ほぼアーチ形状のガード部材本体１５２によって、かなり抑制することができる。
【００６１】
５、ガード部材の誤装着操作の説明
【００６２】
臥床台本体６１に対するガード部材６２ａ、６２ｂ、６３ａ、６３ｂ、１０１ａ、１０１ｂ、１０２ａ、１０２ｂ、１３１ａ、１３１ｂ、１５１の誤装着操作についての４種類の実例を、「（１）第１の種類の誤装着操作」、「（２）第２の種類の誤装着操作」、「（３）第３の種類の誤装着操作」、「（４）第４の種類の誤装着操作」に項分けして、図１１〜図１３および図１４をそれぞれ参照しつつ説明する。
【００６３】
（１）第１の種類の誤装着操作
【００６４】
第１の種類の誤装着操作は、図１１に示すように、臥床台本体６１の前側の短辺側枠片部９５ａに配設された左右一対の取り付け孔９６、９７に長辺側ガード部材６２ａの前後一対の被取り付け部１３４、１３５をそれぞれ取り付ける操作が行われた場合である。この場合、左右一対の被取り付け部１３４、１３５は、左右一対の取り付け孔９６、９７にそれぞれ嵌合される。しかし、誤装着防止用差し込み部１３８の上端から段部１４１までの長さＬ１０が取り付け孔９６、９７の上端から切り欠き形状の凹部１１５までの長さＬ４よりも多少小さくなっている。このために、段部１４１が切り欠き形状の凹部１１５に仮係止状態でもって係止することがないので、取扱者は、誤装着操作を行っていることを手などで感覚的に認識することができる。
【００６５】
（２）第２の種類の誤装着操作
【００６６】
第２の種類の誤装着操作は、図１２に示すように、臥床台本体６１の左側の長辺側枠片部８６ａに配設された前後一対の取り付け孔９１、９２に短辺側ガード部材６３ａの左右一対の被取り付け部１０４、１０５をそれぞれ取り付ける操作が行われようとした場合である。この場合、前側の取り付け孔９１のほぼ水平方向における長さＬ２は、被取り付け部１０４のほぼ水平方向における長さＬ１とほぼ同一の長さであるから、被取り付け部１０４は、前側の取り付け孔９１に理論的には嵌合する。しかし、後側の取り付け孔９２のほぼ水平方向における長さＬ１２は、被取り付け部１０５のほぼ水平方向における長さＬ１よりは多少小さくなっている。このために、位置決め用差し込み部１０６ａが臥床台本体６１の長辺側枠片部８６ａ（具体的には、後側の取り付け孔９２の近傍部分）に当接する。したがって、取扱者は、被取り付け部１０５を後側の取り付け孔９２に嵌合させることができないので、誤装着操作を行おうとしていることを明確に認識することができる。なお、上述のような事態は、図１４に示す短辺側ガード部材１０１ａおよび図１８に示す短辺側ガード部材１０２ａのそれぞれの左右一対の被取り付け部１０４、１０５を前後一対の取り付け孔９１、９２にそれぞれ嵌合させる誤装着操作を行おうとした場合にも生じる。
【００６７】
（３）第３の種類の誤装着操作
【００６８】
第３の種類の誤装着操作は、図１３に示すように、臥床台本体６１の左側の長辺側枠片部８６ａに配設された前後一対の取り付け孔９１、９２に左側の長辺側ガード部材６２ａの前後一対の被取り付け部１３４、１３５をそれぞれ取り付ける操作が行われようとした場合であって、特に、長辺側ガード部材６２ａの外側面と内側面とを互いに逆にして取り付けようとした場合である。この場合、前側の取り付け孔９１のほぼ水平方向における長さＬ２は、被取り付け部１３５のほぼ水平方向における長さＬ１３よりも大きいから、被取り付け部１３５は、前側の取り付け孔９１に理論的には嵌合する。しかし、後側の取り付け孔９２のほぼ水平方向における長さＬ１２は、被取り付け部１３４のほぼ水平方向における長さＬ１よりは多少小さくなっている。このために、位置決め用差し込み部１３７ｂが臥床台本体６１の長辺側枠片部８６ａ（具体的には、後側の取り付け孔９２の近傍部分）に当接する。したがって、取扱者は、被取り付け部１３４を後側の取り付け孔９２に嵌合させることができないので、誤装着操作を行おうとしていることを明確に認識することができる。
【００６９】
（４）第４の種類の誤装着操作
【００７０】
第４の種類の誤装着操作は、図２２に示すように、臥床台本体６１の前側の短辺側枠片部９５ａに配設された左右一対の取り付け孔９６、９７に図１８に示す左側の長辺側ガード部材１３１ａの一対の被取り付け部１４６、１４７をそれぞれ取り付ける操作が行われた場合である。この場合、左右一対の被取り付け部１４６、１４７は、左右一対の取り付け孔９６、９７にそれぞれ良好に嵌合する。しかし、長辺側ガード部材１３１ａの長さが短辺側枠片部９５ａの長さよりも十分に長いので、長辺側ガード部材１３１ａは、その両端部が臥床台本体６１の左右両側からそれぞれ外方に突出した状態でもって、臥床台本体６１に取り付けられる。このために、取扱者は、長辺側ガード部材１３１ａが正常な取り付け位置に取り付けられていないことを容易にかつ明確に認識することができる。
【００７１】
上述のような事態は、図２３に示す長辺側ガード部材１３２の前後一対の被取り付け部１４６、１４７を左右一対の取り付け孔９６、９７にそれぞれ嵌合させる誤装着操作によっても生じる。この場合には、長辺側ガード部材１３２の本来の左右方向における幅（換言すれば、左側の長辺側枠片部８６ａ部と右側の長辺側枠片部８６ｂとの間隔）が臥床台本体６１の前後方向における長さ（換言すれば、前側の短辺側枠片部９５ａと後側の短辺側枠片部９５ｂとの間隔）よりも十分に小さい。このために、取扱者は、長辺側ガード部材１３２が正常な取り付け位置に取り付けられていないことを容易にかつ明確に認識することができる。
【００７２】
６、臥床台の実施形態の説明
【００７３】
短辺側ガード部材としては、前記第３項（すなわち、「３、短辺側ガード部材の説明」の項）に記載したように、第１の種類の短辺側ガード部材６３ａ、６３ｂ、第２の種類の短辺側ガード部材１０１ａ、１０１ｂおよび第３の種類の短辺側ガード部材１０２ａ、１０２ｂがそれぞれ用意されている。そして、長辺側ガード部材としては、前記第４項（すなわち、「４、長辺側ガード部材の説明」の項）に記載したように、第１の種類の長辺側ガード部材６２ａ、６２ｂ、第２の種類の長辺側ガード部材１３１ａ、１３１ｂおよび第３の種類の長辺側ガード部材１３２がそれぞれ用意されている。したがって、前側の短辺側ガード部材および後側の短辺側ガード部材として互いに同種のガード部材を用いるとともに、左側の長辺側ガード部材および右側の長辺側ガード部材として互いに同種のガード部材を用いる場合には、臥床台５の実施形態として、９種類の実質形態が考えられる。そして、図示の実施例においては、
（ａ）図１〜図１３に示す第１の実施形態、
（ｂ）図１４に示す第２の実施形態、
（ｃ）図１６に示す第３の実施形態、
（ｄ）図１９に示す第４の実施形態、
（ｅ）図２３に示す第５の実施形態、
がそれぞれ示されている。
【００７４】
しかし、前側の短辺側ガード部材および後側の短辺側ガード部材として互いに同種のガード部材を用いる必要は必ずしもない。これとともに、左側の長辺側ガード部材および右側の長辺側ガード部材として互いに同種のガード部材を用いる必要は必ずしもない。したがって、図示の実施例におけるように、３種類の短辺側ガード部材および３種類の長辺側ガード部材を用意しておけば、臥床台５の実施形態として、上記９種類よりもずっと多数の実施形態を実現することが可能である。
【００７５】
以上、本発明の一実施例について詳細に説明したが、本発明は、上述の実施例に限定されるものではなく、特許請求の範囲に記載されている発明の趣旨に基づいて各種の変更および修正が可能である。
【００７６】
例えば、上述の実施例においては、本発明を閉鎖型保育器兼用の開放型保育器１に適用したが、本発明は、閉鎖型保育器、開放型保育器などの他の保育器にも適用することができる。
【００７７】
また、上述の実施例においては、ほぼお盆形状の臥床台本体６１がほぼ長方形状に構成されているが、臥床台６１は、ほぼ五角形状、ほぼ六角形状、ほぼ長円形状などの別の形状であってもよい。
【００７８】
また、上述の実施例においては、第１〜第３の種類の長辺側ガード部材６２ａ、６２ｂ、１３１ａ、１３１ｂ、１３２と第１〜第３の種類の短辺側ガード部材６３ａ、６３ｂ、１０１ａ、１０１ｂ、１０２ａ、１０２ｂとを個別のグループとしてそれぞれ構成した。しかし、少なくとも一種のガード部材を長辺側ガード部材兼用の短辺側ガード部材として用いることもできる。
【００７９】
さらに、図２１に示す場合には、左側の長辺側ガード部材１３１ａの前側の被取り付け部材１４６の被取り付け部１４４の後端面および右側の長辺側ガード部材１３１ｂの後側の取り付け部材１４７の被取り付け部１４４の前端面のそれぞれが、取り付け孔９１の後端面および取り付け孔９４の前端面のそれぞれとは、長さＬ１５の間隙１５１を有している。しかし、これとは逆に、左側の長辺側ガード部材１３１ａの前側の被取り付け部材１４６の被取り付け部１４４の前端面および右側の長辺側ガード部材１３１ｂの後側の被取り付け部材１４７の被取り付け部１４４の後端面のそれぞれが、取り付け孔９１の前端面および取り付け孔９４の後端面のそれぞれとは、長さＬ１５の間隙を有するようにしてもよい。
【符号の説明】
【００８０】
１          保育器
５          臥床台          
７          児
６１        臥床台本体
６２ａ      左側の長辺側ガード部材
６２ｂ      右側の長辺側ガード部材
６３ａ      前側の短辺側ガード部材
６３ｂ      後側の短辺側ガード部材
９１        前側の取り付け孔（第１の取り付け孔）
９２        後側の取り付け孔（第１の取り付け孔）
９３        前側の取り付け孔（第２の取り付け孔）
９４        後側の取り付け孔（第２の取り付け孔）
９６        左側の取り付け孔（第３の取り付け孔）
９７        右側の取り付け孔（第３の取り付け孔）
９８        左側の取り付け孔（第４の取り付け孔）
９９        右側の取り付け孔（第４の取り付け孔）
１０１ａ    前側の短辺側ガード部材
１０１ｂ    後側の短辺側ガード部材
１０２ａ    前側の短辺側ガード部材
１０２ｂ    後側の短辺側ガード部材
１０３      ガード部材本体
１０４      左側の被取り付け部
１０５      右側の被取り付け部
１０６ａ    左側の位置決め用差し込み部
１０６ｂ    右側の位置決め用差し込み部
１０７      誤装着防止用差し込み部
１１５      切り欠き形状の凹部（係止部）
１２４      グロメット部材
１２５      切り欠き部（くり抜き形状の開口）
１３１ａ    左側の長辺側ガード部材
１３１ｂ    右側の長辺側ガード部材
１３２      長辺側ガード部材
１３３      ガード部材本体
１３４      前側の被取り付け部
１３５      後側の被取り付け部
１３６      切り欠き形状の凹部（係止部）
１３７ａ    前側位置決め用差し込み
１３７ｂ    後側位置決め用差し込み
１３８      誤装着防止用差し込み部
１４０      ガード部材本体
１４４      被取り付け部
１４６      前側の被取り付け部材
１４７      後側の被取り付け部材
１５２      ガード部材本体
【図１】
2014033769.tif 000003
【図２】
2014033769.tif 000004
【図３】
2014033769.tif 000005
【図４】
2014033769.tif 000006
【図４Ａ】
2014033769.tif 000007
【図５】
2014033769.tif 000008
【図６】
2014033769.tif 000009
【図７】
2014033769.tif 000010
【図８】
2014033769.tif 000011
【図９】
2014033769.tif 000012
【図１０】
2014033769.tif 000013
【図１１】
2014033769.tif 000014
【図１２】
2014033769.tif 000015
【図１３】
2014033769.tif 000016
【図１４】
2014033769.tif 000017
【図１５】
2014033769.tif 000018
【図１６】
2014033769.tif 000019
【図１７】
2014033769.tif 000020
【図１８】
2014033769.tif 000021
【図１９】
2014033769.tif 000022
【図２０】
2014033769.tif 000023
【図２１】
2014033769.tif 000024
【図２２】
2014033769.tif 000025
【図２３】
2014033769.tif 000026
【図２４】
2014033769.tif 000027